(57)【要約】【課題】ハンドルの大きさをコンパクトにする。【解決手段】開閉弁６の本体６１側に固定される基体２には、螺旋状の第１表示部材５を一体回転可能に取り付け、開閉操作する回動軸６３に固定されるハンドル部材３には、螺旋状の第２表示部材４を一体回転可能に取り付け、第１表示部材５と、第２表示部材４を帯体が交互に重なるように配置する。各表示部材５、４は、回動軸方向には移動可能に設けられているので、ハンドル部材３の回動に応じて、相互に相対位置は変動するが、ハンドル部材３内で収容されている位置は変動しない。このため、ハンドル部材３の大きさをコンパクトにすることが可能となる。【選択図】図１
2007187235.tif 000002
【特許請求の範囲】
【請求項１】
ハンドルの回動によって開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容され、前記ハンドル部材の回転軸を囲む螺旋状に形成された第１の表示部材と、
前記第１の表示部材と異なる表示内容を有し、前記螺旋状に重なった第１の表示部材の間に介挿される第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記第１の表示部材は、前記ハンドル部材に対して、前記第２の表示部材は、前記基体に対して、それぞれ回転軸方向に移動可能であり、
前記ハンドル部材の前記基体に対する回転量に応じて、前記第１の表示部材と前記第２の表示部材の相対位置を変動させ、両者の相対位置を示すことにより、開閉弁の開閉状態を表示することを特徴とする表示機構付き操作ハンドル。
【請求項２】
ハンドルの回動によって開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容され、前記ハンドル部材の回転軸を囲む渦状に形成された第１の表示部材と、
前記第１の表示部材と異なる表示内容を有し、前記渦状に重なった第１の表示部材の間に介挿される第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記第１の表示部材と前記第２の表示部材の少なくとも一方は、拡径および縮径が可能であり、
前記ハンドル部材の前記基体に対する回転量に応じて、前記第１の表示部材と前記第２の表示部材の相対位置を変動させ、両者の相対位置を示すことにより、開閉弁の開閉状態を表示することを特徴とする表示機構付き操作ハンドル。
【請求項３】
前記第２の表示部材は、基材が透明であって、周方向へ向けて幅が変化する表示帯を基材上に有する請求項１または２に記載の表示機構付き操作ハンドル。
【請求項４】
ハンドルの回動によって弁体を弁座に対して進退移動させ、開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容された第１の表示部材と、
前記第１の表示部材と異なる表示内容を有し、第１の表示部材に重ねて設けられる第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記ハンドル部材を閉じ位置とした場合において、前記第１の表示部材と前記第２の表示部材の相対位置を示すことにより、弁体と弁座の間に設けられたシール部材の変形量を表示することを特徴とする表示機構付き操作ハンドル。
【発明の詳細な説明】
【技術分野】
【０００１】
本発明は、表示機構付き操作ハンドルに係り、詳しくは、ハンドルを回転させることにより開閉操作する開閉弁の開閉度合いを表示する表示機構を有する操作ハンドルに関するものである。
【背景技術】
【０００２】
従来、ガス等の流体の流路において、ガスの流通を遮断し、或は流通を許可するために開閉弁が流路に設けられる。この開閉弁は、操作ハンドルを回転させることによって、弁体をネジ溝に沿って回転させ、回転軸に沿って弁体を移動させる機構となっており、操作ハンドルの回転角度を調節することによって、開閉弁の開度を調整できる構成となっている。  
ここで、開閉弁が実際にどの程度開放されているのか、或は閉じられているのかを判別するには、外側から見ただけでは判別することはできず、その開閉状態を表示する装置が提案されている。
【特許文献１】特許第２６９６２０１号。
【発明の開示】
【発明が解決しようとする課題】
【０００３】
上記従来の技術は、ハンドル回転に応じて、螺旋状に構成された表示ベルトが露出し、表示ベルトの露出量によって、弁の開閉の有無を表示するものである。しかし、この発明によると、第２の側壁は、固定されているため、この第２の側壁の両側に、表示ベルトを収納するスペースを設けなければならず、ハンドルを大きくする必要が生じる。  
また、ハンドルを３６０度回転させると、表示ベルトは、第２の側壁を覆い尽くすため、３６０度以上回転させた場合には、表示ベルトによる表示内容に変化がなくなり、それ以上精密に開度を表示することができない。  
一方、開閉弁の弁体には、弁座に押圧される面にシール部材が設けられているが、開閉操作を繰り返すことにより、シール部材の変形が進行する。この場合、開閉弁を閉じる場合には、ハンドルの回転量をより多くしなければ弁座とシール部材との間の気密を維持できなくなり、さらに変形が進行すれば、閉じ状態での気密を十分に維持できなくなる恐れがある。
【０００４】
この発明の第１の目的は、ハンドルの大きさをコンパクトにすることができ、かつ、３６０度以上ハンドルを回転させた場合にも、精密に開度を表示することが可能な表示機構付き操作ハンドルを提供することにある。第２の目的は、シール部材の変形を早期に把握できる表示機構付き操作ハンドルを提供することにある。
【課題を解決するための手段】
【０００５】
以上のような問題を解決する本発明は、以下のような構成を有する。  
（１）  ハンドルの回動によって開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容され、前記ハンドル部材の回転軸を囲む螺旋状に形成された第１の表示部材と、
前記第１の表示部材と異なる表示内容を有し、前記螺旋状に重なった第１の表示部材の間に介挿される第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記第１の表示部材は、前記ハンドル部材に対して、前記第２の表示部材は、前記基体に対して、それぞれ回転軸方向に移動可能であり、
前記ハンドル部材の前記基体に対する回転量に応じて、前記第１の表示部材と前記第２の表示部材の相対位置を変動させ、両者の相対位置を示すことにより、開閉弁の開閉状態を表示することを特徴とする表示機構付き操作ハンドル。
【０００６】
（２）  ハンドルの回動によって開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容され、前記ハンドル部材の回転軸を囲む渦状に形成された第１の表示部材と、
前記第１の表示部材と異なる表示内容を有し、前記渦状に重なった第１の表示部材の間に介挿される第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記第１の表示部材と前記第２の表示部材の少なくとも一方は、拡径および縮径が可能であり、
前記ハンドル部材の前記基体に対する回転量に応じて、前記第１の表示部材と前記第２の表示部材の相対位置を変動させ、両者の相対位置を示すことにより、開閉弁の開閉状態を表示することを特徴とする表示機構付き操作ハンドル。
【０００７】
（３）  前記第２の表示部材は、基材が透明であって、周方向へ向けて幅が変化する表示帯を基材上に有する上記(１)または(２)に記載の表示機構付き操作ハンドル。
【０００８】
（４）  ハンドルの回動によって弁体を弁座に対して進退移動させ、開閉操作が行われる開閉弁に取り付けられる操作ハンドルであって、
開閉弁の本体側に接続されて、本体に対する相対回転が規制される基体と、
開閉弁の弁体を開閉操作する回動軸に接続されるハンドル部材と、
前記ハンドル部材と前記基体との間に形成された表示体収容部と、
前記表示体収容部に収容された第１の表示部材と、
前記第１の表示部材と異なる表示内容を有し、第１の表示部材に重ねて設けられる第２の表示部材と、
前記ハンドル部材に設けられ、前記第１又は第２表示部材を透視可能な透過部と、
前記第１の表示部材と前記第２の表示部材のうち、一方は前記ハンドル部材と一体回動可能に配置され、他方は前記基体と一体回動可能に配置され、
前記ハンドル部材を閉じ位置とした場合において、前記第１の表示部材と前記第２の表示部材の相対位置を示すことにより、弁体と弁座の間に設けられたシール部材の変形量を表示することを特徴とする表示機構付き操作ハンドル。
【発明の効果】
【０００９】
請求項１に記載の発明によれば、第１表示部材と第２表示部材は、相互に回動軸方向に移動可能であるため、第１表示部材と第２表示部材とを重ねた収容領域に、移動する第１表示部材を収容する領域を設ける必要が無くなるため、ハンドル部材を小型化できる。  
請求項２に記載の発明によれば、第１表示部材と第２表示部材は、相互に径方向に移動可能であるため、第１表示部材と第２表示部材とを重ねた収容領域に、移動する第１表示部材を収容する領域を設ける必要が無くなるため、ハンドル部材を小型化できる。
【００１０】
請求項３に記載の発明によれば、第２表示部材は基材が透明であるから、表示帯を重ねて表示しても、表示帯の全体を視認可能とすることができ、ハンドル部材を３６０度以上回転させた場合においても、表示帯の幅によって、開閉弁の開度を表示することが可能となる。  
請求項４に記載の発明によれば、シール部材の変形の進行にともなって、閉じ位置におけるハンドルの位置が移動することを、第１表示部材と第２表示部材の相対位置の変化によって表示するため、シール部材の変形の度合いを容易に把握することができる。
【発明を実施するための最良の形態】
【００１１】
以下本発明の好適実施形態について、添付図面に基づいて詳細に説明する。図１は、本発明の表示機構付き操作ハンドル１が開閉弁６に取り付けられた状態を示す断面側面図である。操作ハンドル１は、開閉弁６の回動軸６３を回動させることによって、弁体６４の開放量を調整し、開閉操作を行う。  
開閉弁６の開閉機構について、図１に基づいて説明する。開閉弁６は、本体６１と、蓋体６２と、弁体６４と、回動軸６３を備える。弁体６４は、本体６１内に形成された弁室６５内に収容され、弁室６５の内周面に形成された雌ネジ部６５２に、外周面の雄ネジ部６４２を螺合させることにより、進退移動可能に構成されている。弁体６４の先端には、シール部材６４１が埋設され、このシール部材６４１は、弁室６５の底部に形成された弁座６５１に押接される。弁室６５には、導入路６１１と導出路６１２が連通し、導入路６１１は、弁座６５１内に開口する。弁体６４のシール部材６４１が弁座６５１に押圧されることによって、開閉弁６は、閉状態となり、弁体６４のシール部材６４１が弁座６５１から離れることにより、開閉弁６は開状態となる。この開閉弁６は、例えば、高圧ガス容器のガス取出し口に接続され、開状態では、導入路６１１からガスが流入し、弁室６５を通って、導出路６１２へガスを導出させる。
【００１２】
弁体６４が収容されている弁室６５には、蓋体６２のネジ部６２１が螺入され、蓋体６２は、本体６１と一体となっている。また、蓋体６２の先端外周には、断面外形が六角型のナット部６２４が形成されている。蓋体６２の中心には、挿通孔６２０が形成され、回動軸６３が気密状態で回動自在に挿通されている。蓋体６２と回動軸６３の間には、シール材６２３が介挿されており、気密性が維持されている。
【００１３】
回動軸６３の下端部は、蓋体６２から弁体６４側に突出し、下端には、弁体６４の基端に接続される突起６３３が形成された連結部となっており、該連結部は、弁体６４の基端に形成された溝６４３内に挿入されている。このような構成とすることにより、回動軸６３と弁体６４とは、一体として回動し、かつ弁体６４は、回転軸６３に対して軸方向に移動可能に構成されている。弁体６４は、雄ネジ部６４２と雌ネジ部６５２との螺合によって、一定の方向に回転することで、シール部材６４１を弁座６５１へ押圧した閉位置方向と、弁座６５１から離間した開位置方向とに移動する。
【００１４】
一方、回動軸６３の、蓋体６２から突出した上端部には、横断面形状が矩形に形成された接続部６３１が設けられている。この接続部６３１の先端には、更にボルト６３２が形成されている。接続部６３１には、操作ハンドル１のハンドル部材３が接続される。また、蓋体６２のナット部６２４には、操作ハンドル１の基体２が外嵌される。
【００１５】
以下、図２に基づいて操作ハンドル１の構成について説明する。操作ハンドル１は、基体２と、ハンドル部材３と、第２表示部材４と、第１表示部材５とを備えている。基体２は、図３に示されているように、底部２６の中央に回動軸６３を挿通させる孔２１を有する筒体であって、筒体の側壁２３には、等間隔で切欠き２４が周方向に配置され、該切欠き２４の底辺は、側壁２３の外周に形成されたフランジ２０の上面と同一平面上に位置している。基体２の下端には、内側にナット部６２４を嵌合せさる嵌合部２２０が設けられている。嵌合部２２０は、筒体状部２２の内側に、ナット部６２４の６つの頂点が嵌合する凹部２２１が等間隔で形成されており、ナット部６２４に嵌合部２２０を嵌合させた基体２は、蓋体６２に対して、周方向に相対的に回動不能となる。
【００１６】
ハンドル部材３は、開閉弁６を手動で開閉操作する場合に、作業者の手で握られる操作部材であり、透明な樹脂で構成された把手部材３０と、把手部材３０の中央に埋設された金属製の接合部材３１とを有している。把手部材３０は、円形に形成され基材の周端に凸部３０１と凹部３０２を交互に形成し、ハンドル部材３を手で握り易く、かつ、滑り難くなるような形状となっている。
【００１７】
把手部材３０の中央部には、接合部材３１を内側に保持した筒状の保持部３０３が形成され、保持部３０３の内側には、ナット３３を収容する収容部３０４が形成されている。保持部３０３の外側には、後述する第２表示部材４、第１表示部材５を収納する収納部３２が、下側が開放された状態で形成されている。
【００１８】
図４はハンドル部材３の底面図である。収納部３０４内には、内側周面に突起が形成されて係合凸部３２１が設けられ、周方向に所定の間隔（この実施形態では等間隔）で４つ配置されている。  
接合部材３１は、回動軸６３の接続部６３１が挿通する接合孔３１１が形成されている。接合孔３１１の断面形状は、接続部６３１の断面形状と同じ形状（矩形）に形成されている。これにより、接合部材３１は、回動軸６３と一体として回動するように、回動軸６３に対して接合される。接合部材３１の外周面には、溝３１２が形成されている。この溝３１２によって、接合部材３１が把手部材３０に対して空回りせずに一体回動するように、また、把手部材３０から接合部材３１が抜け落ちないように、把手部材３０に対して接合部材３１が埋設される。
【００１９】
接合部材３０を挿通した回動軸６３は、先端のボルト部６３２が、収容部３０４内に突出し、ナット３３が螺合される。ナット３３と接合部材３１の間には、圧縮スプリング３３１が介挿され、ハンドル部材３は、基体２を介して、開閉弁６側へ押圧される。収容部３０４の開口は、蓋３４によって閉鎖される。
【００２０】
操作ハンドル１を開閉弁６に取り付けた状態では、基体２の側壁２３の内側に、ハンドル部材３の保持部３０３が挿入され、側壁２３とフランジ２０は、ハンドル部材３の収納部３２内に収納される。収納部３２内において、側壁２３の外周には、第２表示部材４と第１表示部材５とが設けられ、フランジ２０上に載置される。側壁２３の上端辺には、側壁２３の横断面形状に合わせた円環形状に形成された抑え部材７が被せられる。抑え部材７は、断面形状がＬ字状に形成されており、側壁２３の外周に沿って位置し、第２表示部材４と第１表示部材５を上方から抑える作用を有する。換言すると、第２表示部材４と第１表示部材５は、フランジ２０と抑え部材７との間に挟まれた状態で保持される。  
このような構成とすることによって、操作ハンドル１を傾斜させ、あるいは上下を反転させて使用した場合においても、第２表示部材４及び第１表示部材５が収納部３２内で移動し、収納姿勢が乱れて、弁開度の表示機能が損なわれるといった問題が解消される。
【００２１】
図５は、第２表示部材４の全体斜視図である。第２表示部材４は、円環状に形成された帯材４０であり、帯材４０を螺旋状に１回半巻き回して形成されている。第２表示部材４の中央には、側壁２３が収容される挿通部４５が形成され、帯材４０の外周端には凹状に切り欠かれた係合凹部４１が、等間隔で４つ形成されている。円環状の帯材４０の上面と下面には、それぞれ帯体４０の端部４２，４３が位置し、上面の端部４２の近傍には、上側の視認できる位置に、「ＣＬＯＳＥ」と表示された第２表示部４４が設けられている。この帯材４０は、１回半巻き回して形成されているが、１回半に限定されず、それ以上であってもよい。また、ハンドル部材の可動範囲に応じて変更することができる。
【００２２】
収納部３２内に収納されている第２表示部材４は、周端の係合凹部４１に、収納部３２内に形成された係合凸部３２１が係合し、第２表示部材４は、ハンドル部材３に対して、回転軸の軸方向に移動可能に設けられ、ハンドル部材３の回転時には、一体として回転する構成となっている。なお、係合凸部３２１と係合凹部４１は、それぞれ逆に設けられ、第２表示部材４に係合凸部が設けられ、ハンドル部材３側に係合凹部が設けられた構成としてもよい。
【００２３】
図６は、第１表示部材５の全体斜視図である。第１表示部材５は、円環状に形成された帯材５０であり、帯材５０を螺旋状に３回半巻き回して形成されている。第１表示部材５の中央には、側壁２３が収容される挿通部５５が形成され、帯材５０の内周端には凸状に形成された係合凸部５１が、等間隔で３つ形成されている。円環状の帯材５０の上面と下面には、それぞれ帯体５０の端部５２，５３が位置し、上面の端部５２の近傍には、上側の視認できる位置に、「ＯＰＥＮ」と表示された第１表示部５４が設けられている。この帯材５０は、３回半巻き回して形成されているが、帯材４０と同様に、３回半に限定されず、それ以上であってもよい。また、ハンドル部材の可動範囲に応じて変更することができ、例えばハンドル部材の可動範囲が３６０度以内であれば、１回巻き回す必要はなく、それ以下でもよい。
【００２４】
収納部３２内に収納されている第１表示部材５は、内周端の係合凸部５１が、側壁２３の切欠き２４に係合し、第１表示部材５は、基体２に対して、回転軸の軸方向に移動可能に設けられ、周方向に対しては基体２と一体となり、ハンドル部材３に対して相対的に回転可能に構成されている。なお、係合凸部５１と側壁２３の係合凹部としての切欠き２４は、それぞれ逆に設けられ、第１表示部材５に係合凹部が設けられ、側壁２３側に係合凸部が設けられた構成としてもよい。
【００２５】
第２表示部材４と第１表示部材５とは、１枚づつ交互に重ねて配置され、側壁２３の周りに捲きつけられるように配置されている。このような構成とすることによって、ハンドル部材３を回転させると、第２表示部材４に対して第１表示部材５が相対的に回転移動する。第２表示部材４と第１表示部材５は螺旋状に形成されているので、回転移動によって、第２表示部材４と第１表示部材５との相対的な位置が移動し、第２表示部材４に対する第１表示部材５の位置が、回転方向によって、上側に、或は下側に移動する。この実施形態では、第２表示部材４と第１表示部材５は、異なる色に着色されており、それぞれ第２表示部材４は白色、第１表示部材５は赤色となっている。尚、第２表示部材４と第１表示部材５の色は、視覚で把握する場合に用意に識別できる色彩であることが好ましく、例えば、明度が明るいもとの、暗いものの組み合わせや、相互に補色となる組み合わせであることが好ましい。
【００２６】
以上のように構成された操作ハンドル１の作用について説明する。図７は、開閉弁6が閉じられた状態における、操作ハンドル１の断面平面図である。図８は、同じく、開閉弁6と操作ハンドル１の断面側面図である。なお、ハンドル部材３内に収納された第２表示部材４と第１表示部材５は、ハンドル部材３が透明であることから、ハンドル部材３の上方から容易に視認することができる。なお、ハンドル部材３は、全体が透明でなくてもよく、収納部３２に対応する位置となる上面の一部が透明であればよい。
【００２７】
図８に示されているように、弁体６３が閉じ位置にある場合には、第１表示部材５は、図７に示されているように、第２表示部材４の下側に完全に隠れており、「ＣＬＯＳＥ」の文字が現れている。ハンドル部材３を、図７において左に回転させると、弁体６４が回転して弁座６５１から離れ、開状態となる。この時、ハンドル部材３の回転とともに、第２表示部材４が回転し、第１表示部材５が第２表示部材４に対して相対的に移動して、第２表示部材４の下側から現れる。この第１表示部材５の現出によって、開閉弁６のハンドルは、開放方向へ回転させられた状態であることが示される。また、第１表示部材５が表れた長さによって、回転量をも表示されることとなる。
【００２８】
図９は、ハンドル部３を１８０度程度、開放方向へ回転させた状態を示す、操作ハンドル１の断面平面図である。この場合に、第２表示部材４の「ＣＬＯＳＥ」の文字は、第１表示部材５の下側に隠れて見えなくなり、第１表示部材５の「ＯＰＥＮ」の文字が現れている。また、ハンドル部材３を回転させることによって、第２表示部材４は、第１表示部材５に対して、周方向に移動するとともに、第１表示部材５の螺旋形状に沿って、上下方向にも移動し、第１表示部材５の下方へ（開閉弁６側へ）移動する。従って、２つの表示部材４、５を収納するスペースは、２つの表示部材４、５を重ね合わせた厚さに応じた空間を用意すればよく、第２表示部材４や第１表示部材５が上下に移動するためのスペースを別に設ける必要が無い。
【００２９】
以上説明した構成の他、第２表示部材４と第１表示部材５の螺旋の形成方向を逆向きとし、第２表示部材４を基体２に、第１表示部材５をハンドル部材３に接続させ、ハンドル部材３の回転と一体して第１表示部材５が移動する構成としてもよい。図７、図９では、抑え部材７が省略されているが、抑え部材７が設けることによって、係合凸部５１が覆い隠され、第１表示部材５の内側周端の、外側から見た形状を正円環状に整え、見栄えを良くすることができる。
【００３０】
図１０及び図１１は、表示部材の他の構成を示す全体斜視図である。第２表示部材４Ａは、帯体４０Ａを渦状に形成し、１回以上の巻き数で構成されている。そして、帯体４０Ａの片側端辺に、所定間隔で、係合凸部（又は凹部）４１Ａが形成され、ハンドル部材３と一体で回転可能であり、ハンドル部材３の径方向には移動可能に取り付けられる。一方、第１表示部材５Ａは、帯体５０Ａを渦状に形成し、１回以上の巻き数（図では、２回）で構成されている。そして、帯体５０Ａの片側端辺に、所定間隔で、係合凹部（又は凸部）５１Ａが形成され、回転方向には基体２と一体であり、径方向には移動可能に取り付けられる。この場合には、ハンドル部材３は、側面が透明であればよく、側面から開閉弁６の開度を視認する構成となる。
【００３１】
なお、この実施形態の表示構造では、ハンドル部材３を３６０度以上、開方向へ回転させた場合には、第１表示部材５によって回転角度を表示することは出来ないが、例えば、第１表示部材５の基材を透明な材料により構成し、帯体５０の周方向に、回転に応じて表示内容が変化する表示部を設けてもよい。この表示部は、帯体５０を平面視で視認した時に、透明な帯体５０を透視して、表示部の全てが視認できるように構成される。
【００３２】
図１２は、第１表示部材５における表示部の他の構成を示す全体斜視図であり、この図は、螺旋状の第１表示部材５を軸方向に引き伸ばし、常態で重なっている表示面が直接視認できるように変形させた状態を示すものである。  
表示部の一例としては、帯体５０の一端から周方向に沿って、設けられた着色された表示帯５６幅が設けられる。表示帯５６は、周方向に沿って幅が増加するように構成されている。図１２に示されている例では、３６０度毎に、幅が増加する構成となっており、増加した幅によって、ハンドルの回転位置を把握できる構成となっている。また、図１３は、円輪状に構成それた第１表示部材５を、直線状に引き伸ばした場合の、表示体５６の形状を示す平面図である。表示体５６の幅が狭い側の端部５２が、最初に第２表示部材４の下側から露出される。さらに、表示帯５６の幅が帯体５０の幅に合致する位置を、全開位置に対応する位置することによって、閉位置から全開位置までの全ての開度を表示することが可能となる。表示体は、図１２および図１３に記載されているように、段階的に増加する構成に限らず、図１４に示されているように、幅が漸増する構成であってもよい。
【００３３】
或は、他の表示部の例として、表示帯の幅で表示することなく、図１５に示されているように、例えば、６０度毎、９０度毎、１２０度毎、等のように、所定の角度毎に、回転角度を文字で表示する構成とすることもできる。図１５（Ａ）は、１８０度毎に角度表示した場合の図である。この場合には、ハンドル部材３が３６０度以上回転した場合には、第１表示部材５は、第２表示部材４上に２枚以上重なって現出するが、透明な基材であるため、図１５（Ｂ）に示されているように、重なった部分の表示部も視認することが可能となる。  
この際、表示する文字が重ならないように、文字表示位置を直径方向に順に並べて表示することが望ましい。或は、ハンドル部材３の回転角度で示さず、開閉弁６の開度で表示してもよい。例えば、開度２０％、３０％、５０％、１００％（全開）の如くである。
【００３４】
図１６は、第２表示部材４の他の構成例を示す全体斜視図であり、この図は、螺旋状の第２表示部材４Ａを軸方向に引き伸ばし、常態で重なっている表示面が直接視認できるように変形させた状態を示すものである。
【００３５】
第２表示部材４Ａの端部４２には、表示孔４６が形成され、この表示孔４６に重なる基材表面には、第３表示部４７が設けられている。第３表示部４７には、上面に露出する基材表面とは異なる色、又は図柄が表示され、表示孔４６を介して上面に露出するように構成されている。第３表示部４７は、さらに周方向へ２分割され、２つの異なる色又は図柄を有する表示部４７ａ、４７ｂを有している。
【００３６】
開閉弁６が閉状態である場合には、図７に示されているように、第１表示部材５の端部５２と、第２表示部材４の端部４２とは、ほぼ同じ位置で重なっている。しかし、開閉弁６の開閉操作を繰り返すと、弁体６４のシール部材６４１は、弁座６５１との接触と離間を繰り返することで変形し、弁体６４を弁座６５１へ、一層押し付けなければ、十分に気密を維持できない状態となる。このため、ある程度、シール部材６４１の変形が進行した場合には、シール部材６４１の交換又は弁体６４の交換が必要となる。ここで、シール部材６４１の変形とは、シール部材６４１がへたる（変形後に元の形に復元できない状態）場合と、磨耗により形状が変形する場合の両方を含むものである。  
このとき、閉状態におけるハンドル部材３は、図７に示されている位置に比較して、端部５２が、端部４２よりも、一層後退した位置となる。つまり、閉じ状態における端部５２の位置を示すことで、シール部材６４１の変形の度合を示す指針とすることができる。
【００３７】
通常では、第２表示部材４の端部４２の下側に重なっている第２表示部材５の端部５２は、第３表示部４７に重なり、表示孔４６から第３表示部４７は、視認することはできない。シール部材６４１の変形が進むと、端部５２は、端部４２の位置よりも、さらに後退して表示孔４６を塞ぐ位置から後退し、徐々に第３表示部４７が視認できるようになる。最初は、表示部４７ａが現れ、さらに変形が進行すると、弁体６４による気密を確保するため一層回転量が増えて端部５２はさらに後退し、表示部４７ｂが露出される。表示部４７ｂが現れた場合には、シール部材の交換が必要となる程度に変形が進行したことを意味する。
【００３８】
図１７に示されているように、表示部４７を２つに分割することなく、表示孔４６の形状を周方向へ向けて漸次変化するものとしてもよい。例えば、端部４２側に頂点を向けて三角形形状とすることができる。  
このような形状することで、シール部材６４１の変形の進行により第１表示部材５の端部５２の位置が後退すると、これに従って、表示部４７が現れる領域の面積が一次的に増加する。図１７（Ａ）は、変形の初期段階を示す、同図（Ｂ）は、変形が進んでいる状態を示し、図１７（Ｃ）は、表示孔４６が全開され、シール部材６４１の交換を示唆する。このように、表示部７４が露出される３角形の面積の増加により、シール部材６４１の変形の程度を直感的に把握することが容易となる。
【００３９】
以上説明した操作ハンドル１において、開閉弁６の構成は、回動軸の回動に応じて弁体が移動して、開度が調節されるものであればよい。つまり、上記説明した開閉弁６の構造の開閉弁にのみ使用されるものではなく、回動軸の回動に応じた開度が得られる構造あれば、他の構造の弁に使用することは可能である。
【図面の簡単な説明】
【００４０】
【図１】本発明の操作ハンドルが装着された開閉弁の全体断面側面図である。
【図２】本発明の操作ハンドルの全体断面側面図である。
【図３】基体の構成を示す全体図である。
【図４】ハンドル部材の底面図である。
【図５】第２表示部材の全体斜視図である。
【図６】第１表示部材の全体斜視図である。
【図７】閉じた状態を示す、操作ハンドルの断面平面図である。
【図８】閉じた状態を示す、操作ハンドルが装着された開閉弁の全体断面側面図である。
【図９】開いた状態を示す、操作ハンドルの断面平面図である。
【図１０】第２表示部材の他の構成を示す全体斜視図である。
【図１１】第１表示部材の他の構成を示す全体斜視図である。
【図１２】第１表示部材における表示部の他の構成を示す全体斜視図である。
【図１３】円輪状に構成それた第１表示部材を、直線状に引き伸ばした場合の、表示帯の形状を示す平面図である。
【図１４】円輪状に構成それた第１表示部材を、直線状に引き伸ばした場合の、表示帯の他の形状を示す平面図である。
【図１５】第１表示部材の表示部の他の構成例を示す平面図である。
【図１６】第２表示部材の他の構成例を示す全体斜視図である。
【図１７】第２表示部材の表示孔の他の構成例を示す部分平面図である。
【符号の説明】
【００４１】
１：操作ハンドル
２：基体
３：ハンドル部材
４：第２表示部材
４６：表示孔
５：第１表示部材
５６：表示帯
６：開閉弁
【図１】
2007187235.tif 000003
【図２】
2007187235.tif 000004
【図３】
2007187235.tif 000005
【図４】
2007187235.tif 000006
【図５】
2007187235.tif 000007
【図６】
2007187235.tif 000008
【図７】
2007187235.tif 000009
【図８】
2007187235.tif 000010
【図９】
2007187235.tif 000011
【図１０】
2007187235.tif 000012
【図１１】
2007187235.tif 000013
【図１２】
2007187235.tif 000014
【図１３】
2007187235.tif 000015
【図１４】
2007187235.tif 000016
【図１５】
2007187235.tif 000017
【図１６】
2007187235.tif 000018
【図１７】
2007187235.tif 000019